(57)【要約】【課題】人の手指が入らない程度以上の大きな書籍や小包或いは宅配物等の配達物を投入可能な投入口を有し、該投入口から投入された配達物の盗難事故を確実に防止できる配達物受け箱を提供する。【解決手段】投入口１８より投入された配達物１００が通過可能な開口寸法を有する挿入口６０及び挿入口６０を介して配達物１００を挿入可能な空間部６６を有し、収容部４２の上方に設けられた回転ドラム５４と、該回転ドラム５４を回転操作するための操作部材（操作レバー７２）とを備える。回転ドラム５４は、投入口１８に挿入口６０が合致し当該挿入口６０を介して投入口１８より空間部６６内に配達物１００を挿入可能な第一の状態から、操作部材（操作レバー７２）により回転され、挿入口６０より空間部６６内の配達物１００が収容部４２内に落下可能な第二の状態を選択可能とされており、この第二の状態で回転ドラム５４は投入口１８からの手指の侵入を阻止する。【選択図】図１
2010142406.tif 000002
【特許請求の範囲】
【請求項１】
配達物が通過可能な開口寸法を有する投入口と、該投入口より投入された前記配達物を収容する収容部とを備えた配達物受け箱において、
前記投入口より投入された前記配達物が通過可能な開口寸法を有する挿入口、及び、該挿入口を介して前記配達物を挿入可能な空間部を有し、前記収容部の上方に設けられた回転ドラムと、
該回転ドラムを回転操作するための操作部材とを備え、
前記回転ドラムは、前記投入口に前記挿入口が合致し、当該挿入口を介して前記投入口より前記空間部内に前記配達物を挿入可能な第一の状態から、前記操作部材により回転され、前記挿入口より前記空間部内の前記配達物が前記収容部内に落下可能な第二の状態を選択可能とされており、該第二の状態で前記回転ドラムは、前記投入口からの手指の侵入を阻止することを特徴とする配達物受け箱。
【請求項２】
前記投入口の下側には、前記回転ドラムに沿って邪魔板を設けたことを特徴とする請求項１に記載の配達物受け箱。
【請求項３】
前記投入口を開閉自在に閉塞する蓋体を備え、該蓋体は、前記第一の状態の回転ドラムの挿入口内に折り畳まれて前記投入口を開放することを特徴とする請求項１又は請求項２に記載の配達物受け箱。
【請求項４】
前記挿入口は、前記空間部の両端に対向して形成されていることを特徴とする請求項１乃至請求項３のうちの何れかに記載の配達物受け箱。
【請求項５】
前記挿入口は前記投入口と同等以上の開口寸法を有すると共に、空間部の底部には滑り板が設けられており、該滑り板の端部は、前記挿入口の縁部に位置していることを特徴とする請求項１乃至請求項４のうちの何れかに記載の配達物受け箱。
【請求項６】
前記収容部内底部には前記配達物を受け止める緩衝材が設けられていることを特徴とする請求項１乃至請求項５のうちの何れかに記載の配達物受け箱。
【請求項７】
前記収容部の背面、側面、若しくは、前面に設けられ、前記配達物を取り出すための扉と、該扉を施錠するための施錠装置を備えたことを特徴とする請求項１乃至請求項６のうちの何れかに記載の配達物受け箱。
【発明の詳細な説明】
【技術分野】
【０００１】
本発明は、配達物が通過可能な開口寸法を有する投入口と、この投入口より投入された配達物を収容する収容部とを備えた配達物受け箱に関するものである。
【背景技術】
【０００２】
ところで、日中若しくは夜中は受取人が不在若しくは就寝中で、郵便小包などの配達物を受け取れないことが多い。また、受取人が不在若しくは就寝中に配達物受け箱内に配達物が投入されると盗難事故に遭う危険性がある。そこで、葉書や封筒或いは薄い雑誌程度のものが主に扱われる郵便受け箱は、一般的に盗難事故防止の観点から手が入れられないように投入口は狭く、取り出し口は施錠可能な構造となっているものがある。
【０００３】
また、配達物を入れる配達物受け箱は、配達物を１個入れたらそれ以上投入できない、複雑な形状のものもある。しかし、配達物には郵便物より厚い書籍或いは大きな宅配物等の配達物もあり、それらの大きく厚い配達物を投入可能な大きな投入口を備えた郵便受け箱も提案されているが、投入口を大きくすると、投入口から手を入れることが可能となり、郵便受け箱内に投入された配達物が盗難事故に遭ってしまう。
【０００４】
そこで、配達物の盗難事故を防止するため後面に取り出し口を備えた箱体と、この箱体の前面に投入口を設け、この投入口を形成する上枠の内側に回動自在に枢設された投入蓋とを備えた郵便受け箱（配達物受け箱）が提案されている。該配達物受け箱は、投入蓋の内側下部に内開き角度を角度自在に規制する開度規制手段を備えている。この開度規制手段により投入蓋の内開き角度を、人の手が入らない程度で、でき得る限り大きな配達物が投入できる大きさに調整していた。これによって、配達物受け箱内に投入された郵便物の盗難やいたずら等を防ぐと共に、でき得る限り大きな配達物も配達物受け箱に配達できるようにしていた（特許文献１参照）。
【特許文献１】特開２００４−２４５２４号公報
【発明の開示】
【発明が解決しようとする課題】
【０００５】
しかしながら、開度規制手段により投入蓋の内開き角度を人の手が入らない程度に規制して、配達物受け箱内に投入された郵便物の盗難やいたずら等を防いだ場合、配達物受け箱内には手が入らない程度の大きさの配達物しか投入できない。このため、投入口からは人の手指が入らない程度以上の大きな書籍や小包或いは宅配物等の配達物を配達することができないという問題があった。
【０００６】
本発明は、係る従来技術の課題を解決するために成されたものであり、人の手指が入らない程度以上の大きな書籍や小包或いは宅配物等の配達物を投入可能な投入口を有し、該投入口から投入された配達物の盗難事故を確実に防止できる配達物受け箱を提供することを目的とする。
【課題を解決するための手段】
【０００７】
即ち、本発明の配達物受け箱は、配達物が通過可能な開口寸法を有する投入口と、該投入口より投入された配達物を収容する収容部とを備えたものであって、投入口より投入された配達物が通過可能な開口寸法を有する挿入口、及び、該挿入口を介して配達物を挿入可能な空間部を有し、収容部の上方に設けられた回転ドラムと、該回転ドラムを回転操作するための操作部材とを備え、回転ドラムは、投入口に挿入口が合致し、当該挿入口を介して投入口より空間部内に配達物を挿入可能な第一の状態から、操作部材により回転され、挿入口より空間部内の配達物が収容部内に落下可能な第二の状態を選択可能とされており、該第二の状態で回転ドラムは、投入口からの手指の侵入を阻止することを特徴とする。
【０００８】
また、請求項２の発明の配達物受け箱は、上記に加えて、投入口の下側には、回転ドラムに沿って邪魔板を設けたことを特徴とする。
【０００９】
また、請求項３の発明の配達物受け箱は、請求項１又は請求項２に加えて、投入口を開閉自在に閉塞する蓋体を備え、該蓋体は、第一の状態の回転ドラムの挿入口内に折り畳まれて投入口を開放することを特徴とする。
【００１０】
また、請求項４の発明の配達物受け箱は、請求項１乃至請求項３のうちの何れかの記載において、挿入口は、空間部の両端に対向して形成されていることを特徴とする。
【００１１】
また、請求項５の発明の配達物受け箱は、請求項１乃至請求項４のうちの何れかの記載において、挿入口は投入口と同等以上の開口寸法を有すると共に、空間部の底部には滑り板が設けられており、該滑り板の端部は、挿入口の縁部に位置していることを特徴とする。
【００１２】
また、請求項６の発明の配達物受け箱は、請求項１乃至請求項５のうちの何れかの記載において、収容部内底部には配達物を受け止める緩衝材が設けられていることを特徴とする。
【００１３】
また、請求項７の発明の配達物受け箱は、請求項１乃至請求項６のうちの何れかの記載において、収容部の背面、側面、若しくは、前面に設けられ、配達物を取り出すための扉と、該扉を施錠するための施錠装置を備えたことを特徴とする。
【発明の効果】
【００１４】
本発明によれば、配達物受け箱は、配達物が通過可能な開口寸法を有する投入口と、該投入口より投入された配達物を収容する収容部とを備えたものであって、投入口より投入された配達物が通過可能な開口寸法を有する挿入口、及び、該挿入口を介して配達物を挿入可能な空間部を有し、収容部の上方に設けられた回転ドラムと、該回転ドラムを回転操作するための操作部材とを備え、回転ドラムは、投入口に挿入口が合致し、当該挿入口を介して投入口より空間部内に配達物を挿入可能な第一の状態から、操作部材により回転され、挿入口より空間部内の配達物が収容部内に落下可能な第二の状態を選択可能とされており、該第二の状態で回転ドラムは、投入口からの手指の侵入を阻止するので、例えば、投入口から収容部内に人の手が入ってしまうのを確実に防止することができる。これにより、回転ドラムの空間部から収容部内に落下した配達物が、投入口から手指を入れられて抜き取られてしまうなどと言った不都合を阻止することが可能となる。従って、配達物受け箱の利便性を大幅に向上させることができるようになるものである。
【００１５】
また、請求項２の発明によれば、上記に加えて、投入口の下側には、回転ドラムに沿って邪魔板を設けたので、例えば、操作部材にて回転ドラムが少許回転された場合でも、回転ドラムを円筒形に形成するドラム板と配達物受け箱の前面板との隙間を塞ぐことができる。これにより、投入口及び挿入口を介して外部と回転ドラムの空間部内が連通しているときに、回転ドラムの空間部と収容部内とが連通してしまう不都合を確実に防止することができる。また、操作部材にて回転ドラムが少許回転された場合でも、投入口から回転ドラムの空間部を通り収容部内に手指が入ってしまう不都合を阻止することが可能となる。従って、邪魔板により収容部内に収納された配達物の盗難事故防止効果を極めて向上させることができるようになるものである。
【００１６】
また、請求項３の発明によれば、請求項１又は請求項２に加えて、投入口を開閉自在に閉塞する蓋体を備え、該蓋体は、第一の状態の回転ドラムの挿入口内に折り畳まれて投入口を開放するので、例えば、回転ドラムを回転しようとした際、折り畳んだ蓋体が挿入口に引っ掛かって回転ドラムの回転を阻止することができる。これにより、投入口と回転ドラムの挿入口が合致した状態で、投入口から回転ドラムの空間部を通り収容部内に手指が入ってしまうのを確実に阻止することが可能となる。従って、収容部内に収納された配達物の盗難事故防止効果を更に向上させることができるようになるものである。
【００１７】
また、請求項４の発明によれば、請求項１乃至請求項３のうちの何れかの記載において、挿入口は、空間部の両端に対向して形成されているので、例えば、回転ドラムを前後どちらの方向に回転させても、回転ドラムの空間部内と収容部とを連通させることが可能となる。これにより、空間部内に挿入された配達物を収容部内に落下させる際、回転ドラムの回転方向を指定せず、どちらの方向に回転しても空間部内の配達物を収容部内に落下させることができる。従って、配達物受け箱の利便性を大幅に向上させることができる。
【００１８】
また、請求項５の発明によれば、請求項１乃至請求項４のうちの何れかの記載において、挿入口は投入口と同等以上の開口寸法を有すると共に、空間部の底部には滑り板が設けられており、該滑り板の端部は、挿入口の縁部に位置しているので、例えば、配達物を無理矢理押圧して投入口から挿入した場合でも、空間部内で配達物が突っ張ることがない。これにより、空間部内で配達物が突っ張って、摩擦で空間部内に引っ掛かり収容部内に落下しないなどといった不都合を確実に防止することができる。
【００１９】
特に、空間部の底部に設けた滑り板の端部は、挿入口の縁部に位置しているので、例えば、空間部内に挿入された配達物が、回転ドラムの湾曲した周囲壁に引っ掛かってしまうなどという不都合を防止することができる。これにより、空間部内の配達物を、滑り板上を滑らせて、収容部内に円滑に落下させることが可能となる。従って、配達物が回転ドラム内に引っ掛かり、詰まってしまうなどといった不都合を未然に阻止することができる。
【００２０】
また、請求項６の発明によれば、請求項１乃至請求項５のうちの何れかの記載において、収容部内底部には配達物を受け止める緩衝材が設けられているので、例えば、空間部内に挿入された配達物が、滑り板を滑って収容部内に落下した場合でも、その衝撃を緩衝材で吸収することができる。これにより、例えば空間部内から落下し、底板上に衝突した衝撃で配達物が破損してしまうなどといった不都合を防止することが可能となる。従って、空間部から落下した配達物が衝撃で破損されることなく安全に収容部内に収容でき、配達物の破損を防止した状態で収容部内に保管することができる。
【００２１】
また、請求項７の発明によれば、請求項１乃至請求項６のうちの何れかの記載において、収容部の背面、側面、若しくは、前面に設けられ、配達物を取り出すための扉と、該扉を施錠するための施錠装置を備えたので、例えば、配達物受け箱を屋外に設置した場合でも、施錠装置にて扉を施錠しておけば、扉が開けられてしまう不都合を防止することができる。これにより、扉が開けられて収容部内に収容された配達物が盗難事故に遭う不都合を確実に防止することが可能となる。従って、配達物が極めて盗難事故に遭い難い、配達物受け箱を提供することができるようになるものである。
【発明を実施するための最良の形態】
【００２２】
本発明は、配達物受け箱内に投入された書籍や小包或いは宅配物等の配達物が投入口から手指を入れられて盗難事故に遭ってしまうのを防止するため、配達物が収容される収容部内に手指が入れられないようにしたことを主な特徴とする。配達物が収容される収容部内に手指が入れられて盗難事故に遭うのを防止するという目的を、空間部内に配達物を挿入するときは収容部上を閉塞し、空間部内の配達物を収容部内に落下させるときは投入口を閉塞する回転ドラムを設けることにより実現した。
【実施例１】
【００２３】
次に、図面に基づき本発明の実施の形態を詳述する。図１は本発明の一実施例を示す配達物受け箱１０の概略斜視図、図２は本発明の一実施例を示す配達物受け箱１０の概略正面図、図３は、本発明の一実施例を示す配達物受け箱１０に設けられた投入口１８部分の拡大図、図４は本発明の一実施例を示す配達物受け箱１０の概略縦断側面図をそれぞれ示している。
【００２４】
本実施形態における配達物受け箱１０は、図１、図２に示すように書籍や小包或いはそれらよりも大きな宅配物等の配達物１００（図７に図示）を収容可能な筐本体１２と、この筐本体１２内部に設けられた回転ドラム５４とから構成されている。該筐本体１２は、厚さ約０．５〜１．５ｍｍのステンレス或いはアルミニウムなどの金属板にて構成されると共に幅約３６０ｍｍ、高さ約１０００ｍｍ〜１４００ｍｍ、奥行き約４１０ｍｍの縦長箱状に形成され、該筐本体１２は当該筐本体１２内への雨水の浸入を防止可能に構成している。
【００２５】
該筐本体１２は、前面に設けられた前面板１４、後面に設けられた後面板２６と、前面板１４と後面板２６の両側面にそれぞれ設けられた横面板２２、２２と、下面に設けられた底面板２８と上面に設けられた天面板３０とから構成されている。また、筐本体１２の前面上部には前面板１４が切り欠かれて開口し、両横面板２２、２２の内側に高さ約２００ｍｍの投入口１８（図３に図示）が形成されている。該投入口１８は、人の手指が入らない程度以上の大きな書籍や小包或いは宅配物等の配達物１００を投入（この場合、それより小さな葉書などの配達物１００も含む）可能な大きさにて構成されると共に、後述する回転ドラム５４に設けた挿入口６０の対応位置に設けられている。この投入口１８には、当該投入口１８を開閉自在に閉塞する蓋体３２が設けられている。
【００２６】
該蓋体３２は、図３に示すように投入口１８内に折り畳めるように構成している。この場合、蓋体３２は、当該蓋体３２の上下方向略中心に位置して左右方向に所定の間隔で複数の蝶番４０（図では１個のみ図示）が設けられており、これらの蝶番４０を支点にして蓋体３２が投入口１８内に折り畳めるように構成されている。該蓋体３２の上端左右には蓋回転軸３４（左側のみ図示）が設けられており、両蓋回転軸３４は図示しないが筐本体１２の両横面板２２、２２に設けられた、図示しない蓋回転軸穴に回転可能に支持されている。
【００２７】
また、蓋体３２の下端左右にはスライド軸３６（左側のみ図示）が設けられており、両スライド軸３６は投入口１８両側に位置して両横面板２２、２２の上下方向に延在して設けられたスライド溝３８（左側のみ図示）に上下方向にスライド自在に係合されている。この状態で、蓋体３２が下方に押し下げられることにより投入口１８は閉塞される。そして、蓋体３２の下端を上方向に押し上げると、図３白抜き矢印で示すように、両スライド軸３６がスライド溝３８内を上方にスライドして、蓋体３２は蝶番４０ヶ所で二つ折りに折り畳まれ、筐本体１２内に折り畳まれて投入口１８を開放する。
【００２８】
配達物受け箱１０は、図４に示すように筐本体１２内下部（後述する回転ドラム５４の下方）に配達物１００を収容するための収容部４２が設けられると共に、後面には収容部４２に収容された配達物１００を取り出すための取出扉４４が開閉自在に設けられている。図示しないが取出扉４４上部には、蝶番が設けられており、取出扉４４は下部を持ち上げて開けられるようになっている。即ち、取出扉４４の下部を持ち上げることにより、当該取出扉４４を開けて、収容部４２内に収納された配達物１００を取り出せるようになっている。
【００２９】
取出扉４４の下部には当該取出扉４４の開閉を阻止し、取出扉４４を施錠し解錠する施錠装置としての鍵４６（図４のみ図示）が設けられている。そして、鍵４６にて取出扉４４の施錠を解錠して取出扉４４を開けることにより、収容部４２に収納された配達物１００を取り出せるようになっている。これにより、配達物受け箱１０を屋外、或いは、部屋の外に設置した場合に、取出扉４４が開けられてしまうのを防止している。即ち、配達物受け箱１０の取出扉４４に鍵４６を設けることにより、取出扉４４が開けられて収容部４２内に収容された配達物１００の盗難事故を防止している。尚、鍵４６は、取出扉４４の施錠と解錠を行うことができればダイヤル方式やカード方式、或いは、指紋認証や瞳認証、静脈認証方式などであっても差し支えない。また、取出扉４４は筐本体１２の後面に限らず、収容部４２内に収容された配達物１００を取り出すことができれば、筐本体１２の側面や前面などに設けても差し支えない。
【００３０】
前記回転ドラム５４は、配達物受け箱１０内の上部（収容部４２上）に設けられている。該回転ドラム５４は、図５に示すように円筒形に形成されたドラム板６２と、このドラム板６２の延在方向両側に設けられた側板５６、５６とから構成され、内部には配達物１００を挿入可能な空間部６６が形成されている。該回転ドラム５４は、直径約４００ｍｍに形成されると共に、回転ドラム５４の周囲（ドラム板６２）は、筐本体１２の前面板１４と後面板２６に略接する寸法（実際は１ｍｍ〜５ｍｍ隙間有り）を呈している。また、回転ドラム５４には、ドラム板６２が円周方向に所定寸法切り欠かれると共に回転ドラム５４の長手方向一側から他側に渡って、配達物１００を空間部６６に挿入するための挿入口６０が形成されている。
【００３１】
また、回転ドラム５４内には、投入口１８から投入され、当該回転ドラム５４内に挿入された配達物１００を円滑に滑らせて筐本体１２内に設けた収容部４２内に落下させるための滑り板７０が設けられている。この滑り板７０の表面は、滑り易くするため、例えば凹凸を設けて滑り板７０の摩擦係数を下げる、若しくは、潤滑剤を塗布して滑り板７０の摩擦係数を下げるなどの表面処理加工が施されている。そして、後述するように操作レバー７２が時計廻り方向に回転されて上端に位置した状態で滑り板７０は回転ドラム５４内に水平に設けられると共に、滑り板７０の端部は、挿入口６０の下側の縁部に面一に位置している。これにより、回転ドラム５４内に挿入された配達物１００がドラム板６２の縁（挿入口６０の縁）に引っ掛かって落下しない不都合を防止している。
【００３２】
そして、回転ドラム５４に設けた挿入口６０は、前記筐本体１２の前面（前面板１４）に形成した投入口１８と同等以上の開口寸法を有している。詳しくは、挿入口６０の開口よりも投入口１８の開口を小さく形成している。これにより、配達物１００が押圧されて投入口１８から無理矢理空間部６６内に押し込まれた場合でも、挿入口６０及び空間部６６内では配達物１００の周囲に余裕ができて、後述するように回転ドラム５４か回転されて挿入口６０が下方に位置した場合に、配達物１００がドラム板６２の縁に引っ掛かることなく空間部６６内から円滑に収容部４２内に落下するように構成されている。
【００３３】
該回転ドラム５４の延在方向両側に設けた両側板５６、５６の中心には、それぞれドラム回転軸５８（図中右側のみ図示）が設けられており、このドラム回転軸５８は回転ドラム５４の上縁が天面板３０に略接した位置（実際は１ｍｍ〜５ｍｍ隙間有り）にて、両側板５６、５６に設けられた回転穴（図示せず）に回転自在に支持されている。
【００３４】
回転ドラム５４の一側側面（図中右側）には操作レバー７２（本発明の操作部材に相当）が設けられており、筐本体１２の横面板２２（図中右側）に操作レバー溝７８が、横面板２２を貫通して設けられている。該操作レバー溝７８は、回転ドラム５４のドラム回転軸５８を中心に円弧状に形成されると共に、ドラム回転軸５８を中心に回転する操作レバー７２に沿って形成されている。この操作レバー溝７８は、ドラム回転軸５８を中心にして配達物受け箱１０の上端側（天面板３０側）から前面側（前面板１４側）まで略９０度の角度で形成されている。
【００３５】
そして、図６に示すように操作レバー７２が時計廻り方向に回転されて上端に位置した状態で、回転ドラム５４の挿入口６０と、筐本体１２の投入口１８が合致（挿入口６０を介して投入口１８より空間部６６内に配達物１００を挿入可能な第一の状態に相当）するように構成されている。この状態で、図６矢印で示すように筐本体１２前面に設けた蓋体３２は、投入口１８と挿入口６０から回転ドラム５４の空間部６６内に折り畳めるように構成されている（図中点線から実線）。
【００３６】
係る操作レバー７２が手前側方向（反時計廻り方向）に回転された状態では、投入口１８の内側にドラム板６２が位置（投入口１８と挿入口６０とが合致していない状態）して、蓋体３２を回転ドラム５４の空間部内に折り畳むことができないようになっている。即ち、投入口１８を開放する場合は、先ず操作レバー７２を時計廻り方向に回転しているのを確認、若しくは、時計廻り方向に回転して、投入口１８と挿入口６０とを合致させてから、蓋体３２を回転ドラム５４の挿入口６０を介して空間部６６内に折り畳む。これにより、投入口１８を開放し、空間部６６内と外部とを連通できるようになっている。
【００３７】
そして、蓋体３２を回転ドラム５４の挿入口６０から空間部６６内に折り畳んだ状態で、回転ドラム５４を反時計廻り方向に回転しようとした場合、挿入口６０の上側の縁部が蓋体３２に引っ掛かり、回転ドラム５４の回転が阻止される。また、操作レバー７２が半時計廻り方向に回転されて前面側に位置した状態で、回転ドラム５４の挿入口６０は、筐本体１２の下方（真下）に位置する。
【００３８】
これにより、配達物１００は滑り板７０上を滑って、空間部６６に引っ掛かることなく収容部４２内に落下（操作レバー７２により回転ドラム５４が回転されて、挿入口６０より空間部６６内の配達物１００が収容部４２内に落下可能な第二の状態に相当）するように構成されている。即ち、配達物受け箱１０は、操作レバー７２が操作されて回転ドラム５４が回転することにより、前記挿入口６０を介して投入口１８から空間部６６内に配達物１００が挿入可能な第一の状態から、挿入口６０より空間部６６内の配達物１００が収容部４２内に落下可能な第二の状態を選択可能とされている。
【００３９】
一方、回転ドラム５４は円筒形に形成されているため、投入口１８と挿入口６０との下縁に隙間ができてしまい、その隙間を介して投入口１８と収容部４２内とが連通してしまう。この状態では、投入口１８から収容部４２内に手指を入れ、収容部４２に収容された配達物１００が盗難事故に遭ってしまう。そこで、投入口１８から収容部４２内に手指が侵入できないように、筐本体１２内に邪魔板５０を設けている。
【００４０】
この邪魔板５０は、図６に示すように投入口１８の回転ドラム５４側下縁に連続して設けられると共に、回転ドラム５４の円周方向に沿って所定寸法延在させて、投入口１８から収容部４２内に手指が侵入できないように構成している。即ち、邪魔板５０は、回転ドラム５４を回動させたとき、投入口１８と収容部４２内とが連通しない寸法（投入口１８から収容部４２内に手指が侵入できない寸法）にて構成されている。
【００４１】
具体的には、投入口１８の下縁から、当該投入口１８より離間する側の、邪魔板５０端部までの寸法と、回転ドラム５４の挿入口６０の幅寸法（回転ドラム５４の円周方向寸法）とを略同じ寸法に構成して、回転ドラム５４の挿入口６０を投入口１８の下縁から邪魔板５０端部までの寸法で閉塞できるように構成している。これにより、回転ドラム５４の挿入口６０を確実に塞いで、投入口１８から収容部４２内に手指が入らないようにして、配達物１００が盗難事故に遭うのを防止している。
【００４２】
また、筐本体１２内には、空間部６６から落下した配達物１００が破損しないように、スポンジやエアーキャップなどからなる緩衝材５２が設けられている。この緩衝材５２は、配達物１００の底面板２８上面に設けられると共に、周囲板（前面板１４、横面板２２、２２、後面板２６）に略密着して設けられると共に、配達物１００（ガラスなどの割れ物）が緩衝材５２上に落下しても破損しない厚さにて構成されている。尚、緩衝材５２をスポンジやエアーキャップで説明したが、緩衝材５２はスポンジやエアーキャップに限らず、空間部６６から落下した配達物１００が破損しなければ他のクッション材であっても差し支えない。
【００４３】
以上の構成で、次に配達物受け箱１０の使用例を図７〜図９を参照して説明する。尚、操作レバー７２は時計廻り方向に回転されて、投入口１８と挿入口６０とが合致し、蓋体３２は閉塞されているものとする。また、回転ドラム５４は、挿入口６０が真下まで回転するとそれ以上回転しないように、ストッパ（図示せず）が設けられているものとする。配達物１００を投入口１８内に投入する場合、蓋体３２の上下方向中央を筐本体１２内に押圧する。そして、蓋体３２の上下方向中央が筐本体１２内に押圧されると、蓋体３２の下端が上方に移動し、投入口１８下部に少許隙間が開くので、蓋体３２の下端を手で上に押し上げる（図７黒矢印）。
【００４４】
これにより、蓋体３２は回転ドラム５４の空間部６６内に折り畳まれて、投入口１８が開放される。投入口１８が開放されたら、図７白抜き矢印で示すように投入口１８から配達物１００が投入され、配達物１００は回転ドラム５４の挿入口６０を通過して、当該回転ドラム５４の空間部６６内に挿入される。該回転ドラム５４内には滑り板７０が設けられているので、配達物１００は滑り板７０上を円滑に空間部６６内に挿入され、滑り板７０の上に載置される。
【００４５】
回転ドラム５４内に配達物１００が挿入されたら、投入口１８内から手を外に出せば、折り畳んだ蓋体３２は自重で落下し、投入口１８を閉塞する。このとき、折り畳んだ蓋体３２が自重で落下せずに、投入口１８を閉塞しない場合は、蓋体３２を手で下方に下げて、投入口１８を閉塞する。そして、投入口１８が蓋体３２で閉塞されたら次に図８に黒矢印で示すように操作レバー７２を反時計廻り方向に回転させて、回転ドラム５４を反時計廻り方向に回転させる。
【００４６】
次に、図９黒矢印で示すように更に操作レバー７２を反時計廻り方向に回転させると、回転ドラム５４の挿入口６０は下方に位置して、空間部６６内と収容部４２内とが連通する。これにより、回転ドラム５４の空間部６６内に挿入された配達物１００は、自重で滑り板７０上を滑って収容部４２内に落下する。該収容部４２内の下部には衝撃を和らげる緩衝材５２を設けているので、空間部６６内から落下した配達物１００が損傷し易いものであっても、その衝撃を緩衝して、落下した配達物１００を損傷から保護することができる。
【００４７】
一方、蓋体３２の下部（後述する邪魔板５０の下部）には、前面板１４が横長略矩形状に切り欠かれて葉書投入口２０（図１、図２、図４のみ図示）が形成されている。詳しくは、邪魔板５０の下部に対応する筐本体１２の前面板１４に葉書投入口２０が設けられている。この葉書投入口２０は、葉書や封筒或いは薄い雑誌程度の配達物１００が投入できる大きさにて形成されている。
【００４８】
該葉書投入口２０は、手指が入らない大きさにて構成されると共に、葉書や封筒或いは薄い雑誌程度の配達物１００が投入できる大きさにて形成されている。これにより、回転ドラム５４の操作レバー７２を回転させることなく、葉書や封筒或いは薄い雑誌程度の配達物を筐本体１２の収容部４２内に投入することができ、便利である。尚、葉書投入口２０から投入される葉書や封筒或いは薄い雑誌程度のものを、投入口１８から投入しても差し支えない。この場合は、前記配達物１００を、挿入口６０を介して投入口１８より空間部６６内に入れ、回転ドラム５４の操作レバー７２を回転させて、空間部６６内から挿入口６０を介して収容部４２内に配達物１００を落下させれば良い。
【００４９】
また、挿入口６０を回転ドラム５４の円周方向に一ヶ所設けたが、挿入口６０の数はこれに限らず回転ドラム５４の円周方向に対向して２ヶ所設けても差し支えない。この場合、回転ドラム５４を反時計廻り方向だけでなく、時計廻り方向に回転させ空間部６６内に挿入された配達物１００を収容部４２内に落下させることもできる。この場合も、挿入口６０を回転ドラム５４の円周方向に一ヶ所設けたときと同様、邪魔板５０にて回転ドラム５４の挿入口６０と投入口１８との間に形成された隙間を塞ぐことができるので、配達物１００の盗難事故を確実に防止することができる。
【００５０】
このように、配達物受け箱１０は、投入口１８より人の手指が入らない程度以上の大きな書籍や小包或いは宅配物等の配達物１００が通過可能な開口寸法を有する挿入口６０、及び、この挿入口６０を介して配達物１００を挿入可能な空間部６６を有している。そして、収容部４２の上方に設けた回転ドラム５４と、この回転ドラム５４を回転操作するための操作レバー７２とを備えると共に、回転ドラム５４は、投入口１８に挿入口６０が合致する第一の状態から、操作レバー７２により回転ドラム５４が回転されて、挿入口６０より空間部６６内の配達物１００が収容部４２内に落下可能な第二の状態を選択可能とされている。
【００５１】
そして、第二の状態では、回転ドラム５４は、投入口１８からの手指の侵入を阻止するようにしているので、投入口１８から収容部４２内に手指が入ってしまうのを確実に阻止することができる。これにより、回転ドラム５４の空間部６６から収容部４２内に落下した配達物１００が、投入口１８から手指を入れられて抜き取られてしまうなどと言った盗難事故を防止することが可能となる。従って、配達物受け箱１０の利便性を大幅に向上させることができるようになる。
【００５２】
また、投入口１８下縁の回転ドラム５４側には、回転ドラム５４の円周方向に沿って邪魔板５０を設けているので、操作レバー７２にて回転ドラム５４が少許回転された場合でも、回転ドラム５４を円筒形に形成するドラム板６２と配達物受け箱１０の前面板１４との隙間（投入口１８下縁の挿入口６０と前面板１４との隙間）を塞ぐことができる。これにより、投入口１８、及び挿入口６０を介して外部と回転ドラム５４の空間部６６内が連通しているときに、回転ドラム５４の空間部６６と収容部４２内とが連通してしまうのを確実に防止することができる。また、操作レバー７２にて回転ドラム５４が少許回転された場合でも、投入口１８から回転ドラム５４の空間部６６を通り収容部４２内に手指が入ってしまうのを阻止することが可能となる。従って、邪魔板５０により収容部４２内に収納された配達物１００の盗難事故防止効果を極めて向上させることができる。
【００５３】
また、投入口１８を開閉自在に閉塞する蓋体３２を備えており、この蓋体３２は、回転ドラム５４の挿入口６０内に折り畳まれて投入口１８を開放する第一の状態にて、回転ドラム５４を回転しようとした際、挿入口６０が蓋体３２に引っ掛かるので、回転ドラム５４が回転してしまうのを阻止することができる。これにより、蓋体３２が折り畳まれて投入口１８と回転ドラム５４の挿入口６０が合致した状態で、投入口１８から回転ドラム５４の空間部６６を通り収容部４２内に手指が入ってしまうのを確実に阻止することが可能となる。従って、収容部４２内に収納された配達物１００の盗難事故防止効果を更に向上させることができる。
【００５４】
また、挿入口６０は投入口１８と同等以上の開口寸法を有すると共に、空間部６６の底部には滑り板７０が設けられており、この滑り板７０の端部は、挿入口６０の縁部に位置しているので、配達物１００を無理矢理押圧して投入口１８から空間部６６内に挿入した場合でも、空間部６６内で配達物１００が突っ張ることがない。これにより、空間部６６内で配達物１００が突っ張って、摩擦で空間部６６内に引っ掛かって収容部４２内に落下しないなどといった不都合を防止することができる。
【００５５】
特に、空間部６６の底部に設けた滑り板７０の端部は、挿入口６０の縁部に位置しているので、例えば、空間部６６内に挿入された配達物１００が、回転ドラム５４の湾曲した周囲壁（ドラム板６２の縁）に引っ掛かってしまうのを防止することができる。これにより、空間部６６内の配達物１００を、滑り板７０上を滑らせて、収容部４２内に円滑に落下させることが可能となる。従って、配達物１００が回転ドラム５４内に引っ掛かり、詰まってしまうなどといった不都合を未然に阻止することができる。
【００５６】
また、収容部４２内底部には配達物１００を受け止めるための緩衝材５２を設けているので、空間部６６内に挿入された配達物１００が、滑り板７０を滑って収容部４２内に落下した場合でも、その衝撃を緩衝材５２で吸収することができる。これにより、空間部６６内から落下し、底板上に衝突した衝撃で配達物１００が破損してしまうなどといった不都合を防止することが可能となる。従って、空間部６６から収容部４２内に落下した配達物１００が衝撃で破損されることなく安全に収容でき、配達物１００の破損を防止した状態で収容部４２内に保管することができる。
【００５７】
また、収容部４２の背面、側面、若しくは、前面に設けられ、配達物１００を取り出すための取出扉４４と、この取出扉４４を施錠するための鍵４６を備えているので、配達物受け箱１０を屋外に設置した場合でも、鍵４６にて取出扉４４を施錠しておけば、取出扉４４が開けられてしまうといった不都合を防止することができる。これにより、取出扉４４が開けられて収容部４２内に収容された配達物１００が盗難事故に遭ってしまうという不都合を確実に防止することが可能となる。従って、配達物１００が極めて盗難事故に遭い難い、配達物受け箱１０を提供することができる。
【００５８】
また、挿入口６０は、空間部６６の両端に対向して形成されているので、回転ドラム５４を前後どちらの方向に回転させても、回転ドラム５４の空間部６６内と収容部４２とを連通させることが可能となる。これにより、空間部６６内に挿入された配達物１００を収容部４２内に落下させる際、回転ドラム５４の回転方向を指定しなくても、空間部６６内の配達物１００を収容部４２内に落下させることができる。従って、配達物受け箱１０の利便性を大幅に向上させることができる。
【実施例２】
【００５９】
次に、図１０〜図１５には本発明の他の実施例の配達物受け箱１０を示している。尚、邪魔板５０の下部に対応する筐本体１２の前面板１４には、図示しないが前述同様の葉書投入口２０が設けられているものとする。該配達物受け箱１０は、前述の実施形態と略同じ構成を有している。以下、異なる部分について説明する。尚、前述の実施の形態と同じ部分にはこれと同じ符号を付し、説明を省略する。配達物受け箱１０は、図１０、図１１、図１２に示すように前面には投入口１８を開閉自在に閉塞する蓋体３２が設けられている。
【００６０】
該蓋体３２は、当該蓋体３２の上縁に位置して左右方向に所定の間隔で複数の蝶番４０（図では１個のみ図示）の一方が固定されており、各蝶番４０の他方は投入口１８の上縁に固定されている。この蓋体３２に取り付けた蝶番は、図１０、図１１のみ図示している。そして、蓋体３２は、下縁を手前側に引き上げることにより、これらの蝶番４０を支点に回転して開き、内部の投入口１８を開放できるように構成されている。
【００６１】
以上の構成で、次に配達物受け箱１０の使用例を図１３〜図１５を参照して説明する。尚、操作レバー７２は時計廻り方向に回転されて、投入口１８と挿入口６０とが合致し、蓋体３２は閉塞されているものとする。配達物１００を配達する場合、蓋体３２の下縁を手前側に引き上げ、投入口１８を開放する（図１３黒矢印）。
【００６２】
そして、投入口１８が開放されて、図１４白抜き矢印で示すように投入口１８から配達物１００が投入されると、配達物１００は回転ドラム５４の挿入口６０を通過して、当該回転ドラム５４の空間部６６内に挿入される。該回転ドラム５４内には滑り板７０が設けてられているので、配達物１００は滑り板７０上を円滑に空間部６６内に挿入され、滑り板７０の上に載置される。
【００６３】
次に、開いた蓋体３２の縁を手で下に下げ、投入口１８を蓋体３２にて閉塞する。投入口１８が蓋体３２で閉塞されたら、次に操作レバー７２を反時計廻り方向に回転させ、回転ドラム５４を回転させる。この場合、蓋体３２で投入口１８を閉塞する以前に操作レバー７２を反時計廻り方向に回転させても差し支えない。
【００６４】
そして、更に回転ドラム５４を反時計廻り方向に回転させると、当該回転ドラム５４の挿入口６０が下方に位置して、空間部６６内と収容部４２内とが連通する。これにより、回転ドラム５４の空間部６６内に挿入された配達物１００は、図１５白抜き矢印で示すように、滑り板７０上を自重で滑って収容部４２内に収容される。収容部４２内の下部には衝撃を和らげる緩衝材５２を設けているので、空間部６６内から収容部４２内に落下した配達物１００が損傷し易いものであっても、その衝撃を緩衝するので、収容部４２内に収容した配達物１００を損傷から保護することができる。
【００６５】
係る配達物受け箱１０には、投入口１８下縁の回転ドラム５４側には、回転ドラム５４の円周方向に沿って邪魔板５０を設けているので、操作レバー７２にて回転ドラム５４が少許回転された場合でも、回転ドラム５４のドラム板６２と配達物受け箱１０の前面板１４との隙間（投入口１８下側の挿入口６０と前面板１４との隙間）を塞ぐことができる。
【００６６】
これにより、投入口１８、及び挿入口６０を介して外部と回転ドラム５４の空間部６６内が連通しているときに、回転ドラム５４の空間部６６と収容部４２内とが連通してしまうのを確実に防止することができるので、蓋体３２の下縁が手前側に引き上げられて、投入口１８が開放された場合でも、投入口１８から回転ドラム５４の空間部６６を通り収容部４２内に手指が入ってしまうのを阻止することが可能となる。従って、邪魔板５０により収容部４２内に収納された配達物１００の盗難事故防止効果を極めて向上させることができる。即ち、実施例２では、蓋体３２を折り畳むようにしていないので、制作費を低減させ、配達物受け箱１０のコストの低減を図ることができる。
【実施例３】
【００６７】
次に、図１６には本発明の他の実施例の配達物受け箱１０を示している。該配達物受け箱１０は、前述の実施形態と略同じ構成を有している。以下、異なる部分について説明する。尚、前述の実施の形態と同じ部分にはこれと同じ符号を付し、説明を省略する。該配達物受け箱１０の回転ドラム５４は、図１６に示すように操作レバー７２の代わりに操作ロープ７４を設けている。この操作ロープ７４の両端は、回転ドラム５４の所定ヶ所に固定されている。この操作ロープ７４は通過可能な挿通孔１６内を通過して筐本体１２の前面に引き出されている。
【００６８】
そして、投入口１８を開放する場合は、操作ロープ７４を手で持って挿入口６０が投入口１８に一致するように回転させた後、蓋体３２を開けば投入口１８が開放される。尚、投入口１８と挿入口６０が一致している状態が分かるように操作ロープ７４に回転ドラム５４の回転状態が分かる表示（目印）を施してある。投入口１８が開放されて、投入口１８から配達物１００が投入されると、配達物１００は回転ドラム５４の挿入口６０を通過して、当該回転ドラム５４の空間部６６内に挿入される。該回転ドラム５４内には滑り板７０が設けられているので、配達物１００は滑り板７０上を円滑に滑って空間部６６内に挿入される。
【００６９】
次に、開いた蓋体３２を閉じて投入口１８を閉塞する。投入口１８が蓋体３２で閉塞されたら、次に上側の操作ロープ７４を引っ張り、反時計廻り方向に回転させ、回転ドラム５４を回転させる。この場合、蓋体３２で投入口１８を閉塞する以前に操作レバー７２を反時計廻り方向に回転させても差し支えない。そして、さらに回転ドラム５４を反時計廻り方向に回転させると、下側の操作ロープ７４が筐本体１２内に引き込まれると共に、回転ドラム５４の挿入口６０が下方に位置して、空間部６６内と収容部４２内とが連通する。
【００７０】
逆に、操作ロープ７４の下の方を引っ張り、時計廻り方向に回転させ、回転ドラム５４を回転させることもできる。すると、上側の操作ロープ７４が筐本体１２内に引き込まれると共に、回転ドラム５４の第２挿入口６１が下方に位置して、空間部６６内と収容部４２内とが連通する。
【００７１】
これにより、回転ドラム５４の空間部６６内に挿入された配達物１００は、前述した如き、滑り板７０上を自重で円滑に滑って収容部４２内に収容されることとなる。即ち、実施例３では、操作ロープ７４により回転ドラム５４を回転させている。このように、操作ロープ７４を引くだけで投入口１８と挿入口６０とを合致させることができるので、操作レバー７２を回転させて投入口１８と挿入口６０とを合致させる場合に比して、操作性が容易となり便利である。また、操作ロープ７４は、配達物受け箱１０の前面（正面）から使用できるので、配達物受け箱１０の側面に操作レバー７２を設置できない環境下において、有効である。これにより、配達物受け箱１０の幅スペースがあれば配達物受け箱１０を設置することができ、便利である。
【実施例４】
【００７２】
次に、図１７〜図２２には本発明の他の実施例の配達物受け箱１０を示している。尚、邪魔板５０の下部に対応する筐本体１２の前面板１４には、図示しないが前述同様の葉書投入口２０が設けられているものとする。該配達物受け箱１０は、前述の実施形態と略同じ構成を有している。以下、異なる部分について説明する。尚、前述の実施の形態と同じ部分にはこれと同じ符号を付し、説明を省略する。配達物受け箱１０は、図１７、図１８、図１９に示すように回転ドラム５４周囲の筐本体１２を設けていない。
【００７３】
詳しくは、配達物受け箱１０は、邪魔板５０上縁より筐本体１２の上方を設けず、邪魔板５０上縁より上方に回転ドラム５４を露出させている。この場合、回転ドラム５４のドラム回転軸５８を支持するための軸受部材２４を筐本体１２の両横面板２２に立設しており、両横面板２２にドラム回転軸５８がこの軸受部材２４に回転自在に支持された状態で、回転ドラム５４のドラム板６２は、筐本体１２と略隙間のない状態で設置されている。回転ドラム５４の挿入口６０下縁が、邪魔板５０上縁に一致した状態で、当該挿入口６０は邪魔板５０上側に開放して配達物１００を空間部６６内に挿入できるようになっている。尚、筐本体１２に投入口１８は設けていない。
【００７４】
該回転ドラム５４の挿入口６０下縁が、邪魔板５０上縁に一致した状態で回転ドラム５４には当該回転ドラム５４を回転させるための把手６４が設けられている。この把手６４は、挿入口６０下縁が邪魔板５０上縁に一致した状態で回転ドラム５４の延在方向一側から他側間に渡って設けられると共に、当該回転ドラム５４の上方（真上）に約３５ｍｍ幅で形成されている。そして、回転ドラム５４は、挿入口６０が邪魔板５０方向に回転（反時計廻り方向に回転）させると、空間部６６内と収容部４２内と連通して、空間部６６内に挿入された配達物１００が収容部４２内に落下するようになっている。
【００７５】
回転ドラム５４には回転ドラム５４が逆回転してしまうのを防止するための逆回転防止突起６９が設けられており、この逆回転防止突起６９は回転ドラム５４より所定寸法突出して設けられている。また、後面板２６上縁には、前面板１４より離間する方向に所定寸法延在して逆回転防止板６８が設けられている。
【００７６】
該逆回転防止突起６９は、回転ドラム５４の挿入口６０下縁が邪魔板５０上縁に一致した状態で、逆回転防止板６８に当接し、それ以上回転ドラム５４（挿入口６０）が、反時計廻り方向と逆の時計廻り方向に回転（逆回転）するのを防止している。これにより、把手６４を手で持って回転ドラム５４を時計廻り方向に廻し、逆回転防止突起６９を逆回転防止板６８に当接させるだけで、挿入口６０が前面板１４上部に開口させることができる。従って、挿入口６０から空間部６６内へ配達物１００を挿入させる作業性を大幅に向上させることができ、便利である。
【００７７】
以上の構成で、次に配達物受け箱１０の使用例を図２０〜図２２を参照して説明する。尚、把手６４が操作され、回転ドラム５４が時計廻り方向に回転されて挿入口６０が筐本体１２上側（邪魔板５０に略接して上側）に露出し、開放されているものとする。尚、挿入口６０を筐本体１２上に露出させた場合、雨水や塵埃が挿入口６０から空間部６６を介して収容部４２内に入って配達物１００が濡れてしまう不都合が生じてしまうので、筐本体１２上に挿入口６０を露出させた配達物受け箱１０は、雨水や塵埃が収容部４２内に入らない屋内に設置するのに適している。
【００７８】
そして、配達物１００を配達する場合、既に挿入口６０は開放状態にあるので、図２０白抜き矢印で示すように挿入口６０から空間部６６内に配達物１００が挿入され、滑り板７０の滑り板７０の上に載置される。図２１黒矢印で示すように配達物１００が空間部６６内に挿入された状態で、把手６４が操作され、回転ドラム５４が反時計廻り方向に回転される。
【００７９】
次に、図２２黒矢印で示すように回転ドラム５４が更に反時計廻り方向に回転され、空間部６６内と収容部４２内とが連通すると、回転ドラム５４内には滑り板７０が設けてられているので、配達物１００は滑り板７０上を円滑に滑り、空間部６６内に落下（図中白矢印）する。
【００８０】
これにより、回転ドラム５４の空間部６６内に挿入された配達物１００は、前述した如き、滑り板７０上を自重で滑って収容部４２内に収容されることとなる。即ち、実施例４では、配達物受け箱１０は、回転ドラム５４周囲の筐本体１２を設けていないので、筐本体１２の簡素化を図ることができる。これにより、配達物受け箱１０の製造コストを大幅に削減することができる。
【実施例５】
【００８１】
次に、図２３〜図３３には本発明の他の実施例の配達物受け箱１０を示している。尚、邪魔板５０の下部に対応する筐本体１２の前面板１４には、図示しないが前述同様の葉書投入口２０が設けられているものとする。該配達物受け箱１０は、前述の実施形態と略同じ構成を有している。以下、異なる部分について説明する。尚、前述の実施の形態と同じ部分にはこれと同じ符号を付し、説明を省略する。該配達物受け箱１０は、図２３、図２４、図２５に示すように前面には投入口１８を開閉自在に閉塞する蓋体３２が設けられている。
【００８２】
該蓋体３２は、実施例２同様蓋体３２の上縁に位置して左右方向に所定の間隔で複数の蝶番４０（図では１個のみ図示）の一方が固定されており、各蝶番４０の他方は投入口１８の上縁に固定されている。この蓋体３２に取り付けた蝶番４０は、図２３、図２４のみ図示している。蓋体３２は、下縁を手前側に引き上げることにより、これらの蝶番４０を支点に回転して開き、内部の投入口１８を開放できるように構成されると共に、蓋体３２は回転ドラム５４に沿って湾曲形成されている。
【００８３】
また、蓋体３２から所定寸法下方（この場合投入口１８の下方となる邪魔板５０下部）には、筐本体１２の一側の横面板２２から他側の横面板２２に渡って収容部４２内を視認可能な覗き窓８０が設けられている。この覗き窓８０は、前面板１４が切り抜かれ、そのヶ所にアクリル板、或いは、ガラス板が固定（ボルト固定、或いは、ネジ固定）されている。また、覗き窓８０は、叩いても容易に破損されない強度にて構成され、透視して収容部４２内の配達物１００を覗き見ることができるように構成されている。
【００８４】
一方、回転ドラム５４は、図２５に示すように操作レバー７２が真上に位置した状態で、投入口１８側に前述同様挿入口６０が設けられると共に、回転ドラム５４のドラム回転軸５８（図２３、図２４に図示）を中心にして対向位置にも挿入口６０同様の第２挿入口６１が設けられている。具体的には、図２６に示すように回転ドラム５４の側面から見て、回転ドラム５４のドラム回転軸５８を中心に、一方（左側）に挿入口６０、他方（右側）に第２挿入口６１が設けられると共に、一方の挿入口６０と他方の第２挿入口６１は回転ドラム５４のドラム回転軸５８を中心にして対向位置に設けられている。
【００８５】
また、回転ドラム５４は、時計廻り方向、反時計廻り方向に回転できるように構成されている（図２５矢印）。この場合、回転ドラム５４を反時計廻り方向一杯に回転させたときに、一方の挿入口６０は真下に位置して、空間部６６内と収容部４２内とが連通すると共に、回転ドラム５４を時計廻り方向一杯に回転させたときに、他方の第２挿入口６１は真下に位置して、空間部６６内と収容部４２内とが連通するように構成されている。該操作レバー７２は、投入口１８と一方の挿入口６０が合致したとき停止し、その状態から少し力を加えると左右に回転できるような構造に構成されている。具体的には、図示しないが、筐本体１２或いは回転ドラム５４の何れか一方に所定の大きさの、球形の一部分が凹陥形成された凹陥部が設けられ、筐本体１２或いは回転ドラム５４の何れか他方にコイルバネなどで付勢されて凹陥部に係合する球体が設けられている。そして、投入口１８と一方の挿入口６０が合致すると球体は凹陥部に係合してその状態を保持すると共に、回転ドラム５４を回転させると球体は凹陥部より脱出するように構成されている。即ち、回転ドラム５４は、投入口１８と一方の挿入口６０が合致したときその状態を保持できる構造に構成されている。
【００８６】
この場合、空間部６６内に挿入された配達物１００は、一方の挿入口６０及び他方の第２挿入口６１のどちらかでも収容部４２内に落下させられるように構成している。また、前記滑り板７０は、両挿入口６０、第２挿入口６１の下縁に平行に設けられている。即ち、他方の第２挿入口６１も一方の挿入口６０同様配達物１００を出し入れ可能（実施例では配達物１００を出すだけに使用）に構成されている。また、実施例５の蓋体３２は、この回転ドラム５４周囲に沿って湾曲して形成されている。
【００８７】
以上の構成で、次に配達物受け箱１０の使用例を図２７〜図３３を参照して説明する。尚、操作レバー７２は時計廻り方向、或いは、反時計廻り方向に回転されて、投入口１８と一方の挿入口６０とが合致して蓋体３２は閉塞されているものとする。また、投入口１８と一方の挿入口６０が合致した状態で操作レバー７２は保持されているものとする。配達物１００を配達する場合、蓋体３２の下縁を手前側に引き上げ、投入口１８を開放する（図２５黒矢印）。
【００８８】
そして、投入口１８が開放されて、図２７白抜き矢印で示すように投入口１８から配達物１００が投入されると、配達物１００は回転ドラム５４の一方の挿入口６０を通過して、当該回転ドラム５４の空間部６６内に挿入される。該回転ドラム５４内には滑り板７０が設けてられているので、配達物１００は滑り板７０上を円滑に空間部６６内に挿入され、滑り板７０の上に載置される。
【００８９】
次に、開いた蓋体３２の縁を手で下に下げ、投入口１８を蓋体３２にて閉塞する。投入口１８が蓋体３２で閉塞されたら、図２８に黒矢印で示すように操作レバー７２を反時計廻り方向に回転させることにより、回転ドラム５４を反時計廻り方向に回転させる。この場合、蓋体３２で投入口１８を閉塞する以前に操作レバー７２を反時計廻り方向に回転させて回転ドラム５４を反時計廻り方向に回転させても差し支えない。
【００９０】
更に、操作レバー７２にて回転ドラム５４を、図２９に黒矢印で示すように反時計廻り方向に回転させると、当該回転ドラム５４の一方の挿入口６０が斜め下方に位置して、空間部６６内と収容部４２内とが連通する。このとき、配達物１００は滑り板７０の上に載置されているので、傾斜した滑り板７０上を滑って収容部４２内に落下し、前面板１４に当たる（図２９白抜き矢印）。そして、更に操作レバー７２を反時計廻り方向に回転させて回転ドラム５４を、図３０に黒矢印で示すように反時計廻り方向に回転させると、配達物１００は緩衝材５２上に落下する。そして、投入口１８より投入された配達物１００が方形で大きな場合は、当該配達物１００が緩衝材５２上に立設してしまう。
【００９１】
ここで、方形（実施例では四角形）で大きな配達物１００が複数配達物受け箱１０内に投入された場合について説明を行う。尚、配達される配達物１００は、２段重ねになると２段目に重なった配達物１００の上部が、覗き窓８０より視認できる大きさのものとする。そして、操作レバー７２が反時計廻り方向に回転され、投入口１８から２個目の配達物１００が投入されて収容部４２内に収容される。このとき、最初に収容部４２内に収容された配達物１００の上に後から投入された配達物１００が重なってしまう場合がある。
【００９２】
この状態で、複数段目（実施例では２段目）の配達物１００の上部は、覗き窓８０から視認できる高さとなってしまう（図３１黒矢印）。即ち、覗き窓８０から収容部４２の配達物１００が視認できると言うことは、収容部４２内は配達物１００で一杯になり、回転ドラム５４を反時計廻り方向へ回転させたのではそれ以上収容部４２内に配達物１００を収容できないと言うことになる。
【００９３】
しかし、回転ドラム５４を反時計廻り方向に回転させて、空間部６６の滑り板７０を滑り落ちる配達物１００は、一方の挿入口６０が真下になる以前に収容部４２内に落下してしまう。即ち、配達物１００は、前面板１４に当たる形で収容部４２内に落下するので、落下した配達物１００は収容部４２内に溜まると共に、筐本体１２の前面板１４側に重なって収納される。この状態で、筐本体１２は、収容部４２の後面板２６側に配達物１００を多数収納することができるスペースを確保できる大きさに形成されている。
【００９４】
そこで、本発明では回転ドラム５４に設けた一方の挿入口６０の対向位置に、当該挿入口６０と略同等の第２挿入口６１を設けている。そして、回転ドラム５４を反時計廻り方向と反対の時計廻り方向に回転させることにより、第２挿入口６１から収容部４２の後面板２６側に配達物１００が落下するように構成している。即ち、投入口１８下の覗き窓８０に配達物１００が視認できた場合、図３１白抜き矢印で示すように投入口１８から３個目の配達物１００が投入されて滑り板７０の上に載置される。
【００９５】
そして、図３２黒矢印で示すように、操作レバー７２が時計廻り方向に回転され、これによって回転ドラム５４が時計廻り方向に回転される。該回転ドラム５４が時計廻り方向に回転されると、前述した如き空間部６６の滑り板７０を滑り落ちる配達物１００は、他方の第２挿入口６１が真下になる以前に収容部４２内に落下することになる。
【００９６】
この場合、空間部６６の滑り板７０上に載置された配達物１００は、滑り板７０の下部が後面板２６方向に傾斜した状態で、当該滑り板７０上に載置された配達物１００が収容部４２内に落下する。詳しくは、空間部６６の滑り板７０上に載置された配達物１００は、図３３白抜き矢印で示すように、後面板２６に沿う形で収容部４２の緩衝材５２上に落下する。尚、回転ドラム５４が時計廻り方向に回転されると、投入口１８は回転ドラム５４のドラム板６２により閉塞されるので、投入口１８から収容部４２内に手指を入れられることによる配達物１００の盗難事故を確実に防止することができる。
【００９７】
即ち、空間部６６の滑り板７０上に載置された配達物１００は、回転ドラム５４が反時計廻り方向に回転されると収容部４２の前面板１４側に落下し、回転ドラム５４が時計廻り方向に回転されると収容部４２の後面板２６側に落下するので、回転ドラム５４が反時計廻り方向に回転されて収容部４２に落下した配達物１００上に、回転ドラム５４が時計廻り方向に回転されて収容部４２に落下した配達物１００が重なってしまうのを防止することができる。これにより、収容部４２内前後に配達物１００を収容することができるので、配達物受け箱１０内に沢山の配達物１００を収納することができ便利である。
【００９８】
尚、上記実施例５の配達物１００は、２段重なった配達物１００の上縁が、回転ドラム５４近傍に位置する大きさとしたが、配達物１００の大きさがそれよりも小さくて複数段（３段〜４段）重なったときに覗き窓８０より視認できた場合、同様に回転ドラム５４を時計廻り方向に回転させれば、収容部４２内に更に配達物１００を収納することができるのは言うまでもない。
【実施例６】
【００９９】
次に、図３４〜図４３には本発明の他の実施例の配達物受け箱１０を示している。尚、邪魔板５０の下部に対応する筐本体１２の前面板１４には、図示しないが前述同様の葉書投入口２０が設けられているものとする。該配達物受け箱１０は、前述の実施例５と略同じ構成を有している。以下、異なる部分について説明する。尚、前述の実施の形態と同じ部分にはこれと同じ符号を付し、説明を省略する。
【０１００】
配達物受け箱１０は、図３４、図３５、図３６に示すように前面には投入口１８を開閉自在に閉塞するジャバラ状の蓋体３２が設けられ、筐本体１２の後面板２６は、回転ドラム５４の少許下部から下方に行くに従って前面板１４より離間して、収容部４２内を広くしている。これによって、収容部４２内に多数の配達物１００を収容できるように構成している。
【０１０１】
該蓋体３２は、複数の蓋板３３にて構成されると共に、これらの蓋板３３が前述同様の蝶番４０にて連結されてジャバラ状に形成されている。各蝶番４０の上下には前記実施例１のスライド軸３６同様のスライド軸（図示せず）が所定寸法延在して設けられている。また、投入口１８の上下には前記実施例１のスライド溝３８同様のスライド溝（図示せず）が形成され、このスライド溝内をスライド軸がスライドすることにより、ジャバラ状の蓋体３２が開閉可能に構成されている。尚、蓋体３２は、例えば左側に蓋回転軸３４が回転自在、且つ、スライド軸３６が左右方向にスライド自在に設けられて、投入口１８を開閉自在に閉塞できるように構成されている。
【０１０２】
該蓋体３２は、投入口１８を開放したとき当該投入口１８内に折り畳まれる。このとき、前記実施例１同様回転ドラム５４の挿入口６０から空間部６６内に折り畳まれる。これによって、回転ドラム５４が回転しないように構成されている。即ち、投入口１８が開放されたときは、回転ドラム５４は折り畳んだ蓋体３２により回転が禁止（図３６）され、且つ、回転ドラム５４のドラム板６２と前面板１４との間に邪魔板５０が介在して投入口１８から挿入口６０を通過して収容部４２内へ手指を入れられないように構成している。これにより、配達物１００が盗難事故に遭ってしまうのを確実に防止している。
【０１０３】
該回転ドラム５４は、操作レバー７２が真上に位置した状態で投入口１８側に前述同様挿入口６０が設けられると共に、回転ドラム５４のドラム回転軸５８（図３４、図３５に図示）を中心にして対向位置にも挿入口６０同様の第２挿入口６１が設けられている。具体的には、図３７に示すように回転ドラム５４の側面から見て、回転ドラム５４のドラム回転軸５８を中心に、一方（左側）に挿入口６０、他方（右側）に第２挿入口６１が設けられると共に、一方の挿入口６０と他方の第２挿入口６１は回転ドラム５４のドラム回転軸５８を中心にして対向位置に設けられている。
【０１０４】
また、回転ドラム５４は、時計廻り方向、反時計廻り方向に回転できるように構成されている（図３８矢印）。この場合、回転ドラム５４を反時計廻り方向一杯に回転させたときに、一方の挿入口６０は真下に位置して、空間部６６内と収容部４２内とが連通すると共に、回転ドラム５４を時計廻り方向一杯に回転させたときに、他方の第２挿入口６１は真下に位置して、空間部６６内と収容部４２内とが連通するように構成されている。該操作レバー７２は、投入口１８と一方の挿入口６０が合致したとき停止し、その状態から少し力を加えると左右に回転できるような構造に構成されている。即ち、操作レバー７２は、投入口１８と一方の挿入口６０が合致したときその状態を保持できる構造に構成されている。
係る投入口１８と一方の挿入口６０が合致したときその状態を保持できる構造としては、例えば、回転ドラム５４の所定位置に凹所を設けると共に、筐本体１２の天面板３０側から図示しない付勢部材（コイルバネ、或いは、板バネなど）にて凹所より大径のボールを、前記回転ドラム５４の中心方向に向かって押圧する。これにより、付勢部材にて押圧したボールが回転ドラム５４の凹所内に押圧されたとき、その位置で回転ドラム５４の回転が保持されることとなる。尚、板バネの先端近傍に、回転ドラム５４の中心方向に向かってボール同様の突起を設けても差し支えない、この場合、板バネ一枚で、付勢部材とボールとを兼用できるので、コストダウンに寄与することができる。
【０１０５】
この場合、空間部６６内に挿入された配達物１００は、一方の挿入口６０及び他方の第２挿入口６１のどちらかでも収容部４２内に落下させられるように構成している。また、前記滑り板７０は、両挿入口６０、第２挿入口６１の下縁に平行に設けられている。即ち、他方の第２挿入口６１も一方の挿入口６０同様配達物１００を出し入れ可能（実施例では配達物１００を出すだけに使用）に構成されている。
【０１０６】
以上の構成で、次に配達物受け箱１０の使用例を図３８〜図４３を参照して説明する。尚、操作レバー７２は時計廻り方向、或いは、反時計廻り方向に回転されて操作レバー７２が真上の状態で、投入口１８と一方の挿入口６０とが合致して蓋体３２は閉塞されているものとする。また、投入口１８と一方の挿入口６０が合致した状態で操作レバー７２は保持されているものとする。配達物１００を投入する場合、蓋体３２の右端を左方向に移動して投入口１８を開放する。このとき、ジャバラ状の蓋体３２は投入口１８から挿入口６０を経て空間部６６内に折り畳まれる。
【０１０７】
蓋体３２が空間部６６内に折り畳まれ、投入口１８が開放されて、図３８白抜き矢印で示すように投入口１８から配達物１００が投入されると、配達物１００は回転ドラム５４の一方の挿入口６０を通過して、当該回転ドラム５４の空間部６６内に挿入される。該回転ドラム５４内には滑り板７０が設けてられているので、配達物１００は滑り板７０上を円滑に空間部６６内に挿入され、滑り板７０の上に載置される。
【０１０８】
次に、折り畳んだ蓋体３２の縁を手で右方向に移動して投入口１８を蓋体３２にて閉塞する。投入口１８が蓋体３２で閉塞されたら、図３９に黒矢印で示すように操作レバー７２を反時計廻り方向に回転させることにより、回転ドラム５４を反時計廻り方向に回転させる。この場合、折り畳まれた蓋体３２が挿入口６０から空間部６６内に挿入されているので、蓋体３２で投入口１８を閉塞した後でないと、操作レバー７２を反時計廻り方向に回転させることができないので、蓋体３２で投入口１８を確実に閉塞してから、操作レバー７２を反時計廻り方向に回転させる。
【０１０９】
更に、操作レバー７２にて回転ドラム５４を、図４０に黒矢印で示すように反時計廻り方向に回転させると、当該回転ドラム５４の挿入口６０が斜め下方に位置して、空間部６６内と収容部４２内とが連通する。このとき、配達物１００は滑り板７０の上に載置されているので、傾斜した滑り板７０上を滑って収容部４２内に落下し、前面板１４に当たる（図２９白抜き矢印）。そして、更に操作レバー７２を反時計廻り方向に回転させて回転ドラム５４を反時計廻り方向に回転させると、配達物１００は緩衝材５２上に落下する。そして、投入口１８より投入された配達物１００が方形で大きな場合は、当該配達物１００が緩衝材５２上に立設してしまう。
【０１１０】
ここで、方形（実施例では四角形）で大きな配達物１００が複数配達物受け箱１０内に投入された場合について説明を行う。尚、配達される配達物１００は、２段重ねなると２段目に重なった配達物１００の上部が、覗き窓８０より視認できる大きさのものとする。そして、操作レバー７２が反時計廻り方向に回転され、投入口１８から２個目の配達物１００が投入されて収容部４２内に収容される。このとき、最初に収容部４２内に収容された配達物１００の上に後から投入された配達物１００が重なってしまうことがある。
【０１１１】
この状態で、複数段目（実施例では２段目）の配達物１００の上部は、覗き窓８０から視認できる高さとなってしまう（図３１黒矢印）。即ち、覗き窓８０から収容部４２の配達物１００が視認できると言うことは、収容部４２内は配達物１００で一杯になり、それ以上収容部４２内には配達物１００を収容できないと言うことになる。
【０１１２】
しかし、回転ドラム５４を反時計廻り方向に回転させて、空間部６６の滑り板７０を滑り落ちる配達物１００は、一方の挿入口６０が真下になる以前に収容部４２内に落下してしまう。即ち、配達物１００は、前面板１４に当たる形で収容部４２内に落下するので、収容部４２内に落下し、収容した配達物１００は、筐本体１２の前面板１４側に重なって収納される。この状態で、筐本体１２は、収容部４２の後面板２６側に配達物１００を多数収納することができるスペースを確保できる大きさに形成されている。
【０１１３】
そこで、本発明では回転ドラム５４を反時計廻り方向への回転だけではなく、時計廻り方向に回転させることにより、収容部４２の後面板２６側に配達物１００を収容できるように構成している。即ち、投入口１８下の覗き窓８０に配達物１００が視認できた場合、図４１白抜き矢印で示すように投入口１８から３個目の配達物１００が投入されて滑り板７０の上に載置される。
【０１１４】
そして、図４２黒矢印で示すように、操作レバー７２が時計廻り方向に回転され、これによって回転ドラム５４が時計廻り方向に回転される。該回転ドラム５４が時計廻り方向に回転されると、投入口１８は回転ドラム５４のドラム板６２により閉塞されるので、投入口１８から収容部４２内に手指を入れられることによる配達物１００の盗難事故を確実に防止することができる。
【０１１５】
係る回転ドラム５４が時計廻り方向に回転されると、前述した如き空間部６６の滑り板７０を滑り落ちる配達物１００は、他方の第２挿入口６１が真下になる以前に収容部４２内に落下してしまう。この場合、空間部６６の滑り板７０上に載置された配達物１００は、滑り板７０の下部が後面板２６方向に傾斜した状態で、当該滑り板７０上に載置された配達物１００が収容部４２内に落下する。詳しくは、空間部６６の滑り板７０上に載置された配達物１００は、図４３白抜き矢印で示すように、後面板２６に沿う形で収容部４２の緩衝材５２上に落下する。
【０１１６】
即ち、空間部６６の滑り板７０上に載置された配達物１００は、回転ドラム５４が反時計廻り方向に回転されると収容部４２の前面板１４側に落下し、回転ドラム５４が時計廻り方向に回転されると収容部４２の後面板２６側に落下するので、回転ドラム５４が反時計廻り方向に回転されて収容部４２に落下した配達物１００上に、回転ドラム５４が時計廻り方向に回転されて収容部４２に落下した配達物１００が重なってしまうのを防止することができる。これにより、配達物受け箱１０の収容部４２内に沢山の配達物１００を収納することができ便利である。
【０１１７】
このように、配達物受け箱１０は、投入口１８より投入された配達物１００が通過可能な開口寸法を有する挿入口６０、及び、該挿入口６０を介して配達物１００を挿入可能な空間部６６を有し、収容部４２の上方に設けられた回転ドラム５４と、該回転ドラム５４を回転操作するための操作部材（操作レバー７２）とを備え、回転ドラム５４は、投入口１８に挿入口６０が合致し、当該挿入口６０を介して投入口１８より空間部６６内に配達物１００を挿入可能な第一の状態から、操作部材（操作レバー７２）により回転され、挿入口６０より空間部６６内の配達物１００が収容部４２内に落下可能な第二の状態を選択可能とされており、該第二の状態で回転ドラム５４は、投入口１８からの手指の侵入を阻止するので、投入口１８から収容部４２内に手指が入ってしまうのを確実に阻止することができる。これにより、回転ドラム５４の空間部６６から収容部４２内に落下した配達物１００が、投入口１８から手指を入れられて抜き取られてしまうなどと言った不都合を防止することが可能となる。従って、配達物受け箱１０の利便性を大幅に向上させることができる。
【０１１８】
また、投入口１８の下側には、回転ドラム５４に沿って邪魔板５０を設けたので、操作部材（操作レバー７２）にて回転ドラム５４が少許回転された場合でも、回転ドラム５４を円筒形に形成するドラム板６２と配達物受け箱１０の前面板１４との隙間（投入口１８下縁の挿入口６０と前面板１４との隙間）を塞ぐことができる。これにより、投入口１８、及び挿入口６０を介して外部と回転ドラム５４の空間部６６内が連通しているときに、回転ドラム５４の空間部６６と収容部４２内とが連通してしまう不都合を確実に防止することができる。また、操作部材（操作レバー７２）にて回転ドラム５４が少許回転された場合でも、投入口１８から回転ドラム５４の空間部６６を通り収容部４２内に手指が入ってしまうのを阻止することが可能となる。従って、邪魔板５０により収容部４２内に収納された配達物１００の盗難事故防止効果を極めて向上させることができる。
【０１１９】
また、投入口１８を開閉自在に閉塞する蓋体３２を備え、該蓋体３２は、回転ドラム５４の挿入口６０内に折り畳まれて投入口１８を開放する第一の状態にて、回転ドラム５４を回転しようとした際、挿入口６０を蓋体３２に引っ掛かることができ、回転ドラム５４の回転を阻止することができる。これにより、蓋体３２が折り畳まれて投入口１８と回転ドラム５４の挿入口６０が合致した状態で、投入口１８から回転ドラム５４の空間部６６を通り収容部４２内に手指が入ってしまうのを確実に阻止することが可能となる。従って、収容部４２内に収納された配達物１００の盗難事故防止効果を更に向上させることができる。
【０１２０】
また、挿入口６０は、空間部６６の両端に対向して形成されているので、回転ドラム５４を前後どちらの方向に回転させても、回転ドラム５４の空間部６６内と収容部４２とを連通させることが可能となる。これにより、空間部６６内に挿入された配達物１００を収容部４２内に落下させる際、回転ドラム５４の回転方向を指定しなくても、空間部６６内の配達物１００を収容部４２内に落下させることができる。従って、配達物受け箱１０の利便性を大幅に向上させることができる。
【０１２１】
また、挿入口６０は投入口１８と同等以上の開口寸法を有すると共に、空間部６６の底部には滑り板７０が設けられており、該滑り板７０の端部は、挿入口６０の縁部に位置しているので、配達物１００を無理矢理押圧して投入口１８から挿入した場合でも、空間部６６内で配達物１００が突っ張ることがない。これにより、空間部６６内で配達物１００が突っ張って、摩擦で空間部６６内に引っ掛かって収容部４２内に落下しないなどといった不都合を防止することができる。
【０１２２】
特に、空間部６６の底部に設けた滑り板７０の端部は、挿入口６０の縁部に位置しているので、空間部６６内に挿入された配達物１００が、回転ドラム５４の湾曲した周囲壁（ドラム板６２の縁）に引っ掛かってしまうのを防止することができる。これにより、空間部６６内の配達物１００を、滑り板７０上を滑らせて、収容部４２内に円滑に落下させることが可能となる。従って、配達物１００が回転ドラム５４内に引っ掛かり、詰まってしまうなどといった不都合を未然に阻止することができる。
【０１２３】
また、収容部４２内底部には配達物１００を受け止める緩衝材５２が設けられているので、空間部６６内に挿入された配達物１００が、滑り板７０を滑って収容部４２内に落下した場合でも、その衝撃を緩衝材５２にて吸収することができる。これにより、空間部６６内から落下し、底板上に衝突した衝撃で配達物１００が破損してしまうなどといった不都合を防止することが可能となる。従って、空間部６６から落下した配達物１００が衝撃で破損されることなく安全に収容部４２内に収容でき、配達物１００の破損を防止した状態で収容部４２内に保管することができる。
【０１２４】
また、収容部４２の背面、側面、若しくは、前面に設けられ、配達物１００を取り出すための取出扉４４と、該取出扉４４を施錠するための施錠装置（鍵４６）を備えたので、配達物受け箱１０を屋外に設置した場合でも、施錠装置（鍵４６）にて取出扉４４を施錠しておけば、取出扉４４が開けられてしまうのを防止することが可能となる。これにより、取出扉４４が開けられて収容部４２内に収容された配達物１００が盗難事故に遭ってしまうという不都合を確実に防止することができる。従って、配達物１００が極めて盗難事故に遭い難い、配達物受け箱１０を提供することができる。
【０１２５】
尚、実施例５、実施例６では、配達物１００は、２段重なった配達物１００の上縁が、回転ドラム５４近傍に位置する大きさとしたが、配達物１００の大きさがそれよりも小さくて複数段（３段〜４段）重なったときに覗き窓８０より視認できた場合、同様に回転ドラム５４を時計廻り方向に回転させれば、収容部４２内に配達物１００を更に収納することができるのは言うまでもない。
【０１２６】
また、鍵４６（施錠装置）を実施例１のみで説明したが、他の実施例に鍵４６を設けても良いのも言うまでもない。
【０１２７】
また、回転ドラム５４の挿入口６０を投入口１８の下縁から、当該投入口１８より離間する側の、邪魔板５０端部までの寸法で閉塞して投入口１８と収容部４２内との連通を防止し、投入口１８から収容部４２内に手指が入らないようにして配達物１００が盗難事故に遭うのを防止したが、投入口１８から収容部４２内に手指が入らなければ、投入口１８の下縁から当該投入口１８より離間する側の、邪魔板５０端部までの寸法で回転ドラム５４の挿入口６０を閉塞せず、僅かの隙間（収容部４２内に手指が入らない隙間）があっても差し支えない。
【０１２８】
また、実施形態では配達物受け箱１０の形状や寸法などを記載したが、配達物受け箱１０は要旨を逸脱しない範囲内で筐本体１２、回転ドラム５４、蓋体３２及び収容部４２などの形状や寸法を変更しても良いのは言うまでもない。勿論本発明は、上記各実施例のみに限定されるものではなく、この発明の趣旨を逸脱しない範囲で他の様々な変更を行っても本発明は有効である。
【図面の簡単な説明】
【０１２９】
【図１】本発明の一実施例を示す配達物受け箱の概略斜視図である（実施例１）。
【図２】本発明の一実施例を示す配達物受け箱の概略正面図である。
【図３】本発明の一実施例を示す配達物受け箱に設けられた投入口部分の拡大図である。
【図４】本発明の一実施例を示す配達物受け箱の概略縦断側面図である。
【図５】本発明の配達物受け箱を構成する回転ドラムの概略概略斜視図である。
【図６】本発明の配達物受け箱の前面に設けた蓋体の、折り畳んだ状態を示す概略縦断側面図である。
【図７】投入口から投入された配達物が回転ドラムの空間部内に挿入された状態を示す配達物受け箱の概略縦断側面図である。
【図８】回転ドラムの空間部内に配達物が投入された状態で、回転ドラムを反時計廻り方向へ回転している状態を示す配達物受け箱の概略縦断側面図である。
【図９】回転ドラムを反時計廻り方向へ回転して、回転ドラムの空間部内に投入された配達物が当該回転ドラムの挿入口から落下して収容部内に収納される状態を示す配達物受け箱の概略縦断側面図である。
【図１０】本発明の一実施例を示す配達物受け箱の概略斜視図である（実施例２）。
【図１１】本発明の一実施例を示す配達物受け箱の概略正面図である。
【図１２】本発明の一実施例を示す配達物受け箱の概略縦断側面図である。
【図１３】蓋体を開いて投入口を開放している状態を示す配達物受け箱の概略縦断側面図である。
【図１４】投入口から投入された配達物が回転ドラムの空間部内に挿入された状態を示す配達物受け箱の概略縦断側面図である。
【図１５】回転ドラムを反時計廻り方向へ回転して、回転ドラムの空間部内に投入された配達物が当該回転ドラムの挿入口から落下して収容部内に収納される状態を示す配達物受け箱の概略縦断側面図である。
【図１６】本発明の一実施例を示す配達物受け箱の一部（投入口近傍）を示す概略斜視図である（実施例３）。
【図１７】本発明の一実施例を示す配達物受け箱の概略斜視図である（実施例４）。
【図１８】本発明の一実施例を示す配達物受け箱の概略正面図である。
【図１９】本発明の一実施例を示す配達物受け箱の概略縦断側面図である。
【図２０】投入口から投入された配達物が回転ドラムの空間部内に挿入された状態を示す配達物受け箱の概略縦断側面図である。
【図２１】回転ドラムの空間部内に配達物が投入された状態で、回転ドラムを反時計廻り方向へ回転している状態を示す配達物受け箱の概略縦断側面図である。
【図２２】回転ドラムを反時計廻り方向へ回転して、回転ドラムの空間部内に投入された配達物が当該回転ドラムの挿入口から落下して収容部内に収納される状態を示す配達物受け箱の概略縦断側面図である。
【図２３】本発明の一実施例を示す配達物受け箱の概略斜視図である（実施例５）。
【図２４】本発明の一実施例を示す配達物受け箱の概略正面図である。
【図２５】本発明の一実施例を示す配達物受け箱の概略縦断側面図である。
【図２６】配達物受け箱を構成する回転ドラムの概略縦断側面図である。
【図２７】投入口から投入された配達物が回転ドラムの空間部内に挿入された状態を示す配達物受け箱の概略縦断側面図である。
【図２８】回転ドラムの空間部内に配達物が投入された状態で、回転ドラムを反時計廻り方向へ回転している状態を示す配達物受け箱の概略縦断側面図である。
【図２９】回転ドラムを反時計廻り方向へ回転させ、当該回転ドラムを構成する滑り板が傾斜して配達物が落下している状態を示す配達物受け箱の概略縦断側面図である。
【図３０】回転ドラムを反時計廻り方向へ回転して、回転ドラムの空間部内に投入された配達物が当該回転ドラムの挿入口から落下して収容部内に収納される状態を示す配達物受け箱の概略縦断側面図である。
【図３１】収容部に収納された複数の配達物が重なっている状態で、更に投入口から投入された配達物が回転ドラムの空間部内に挿入された状態を示す配達物受け箱の概略縦断側面図である。
【図３２】同図３１の配達物が回転ドラムの空間部内に挿入された状態で、当該回転ドラムを時計廻り方向に回転している状態を示す配達物受け箱の概略縦断側面図である。
【図３３】収容部の前面側に重なった配達物を避け、収容部の後面側に配達物が収納される様子を示す配達物受け箱の概略縦断側面図である。
【図３４】本発明の一実施例を示す配達物受け箱の概略斜視図である（実施例６）。
【図３５】本発明の一実施例を示す配達物受け箱の概略正面図である。
【図３６】本発明の一実施例を示す配達物受け箱の概略縦断側面図である。
【図３７】配達物受け箱を構成する回転ドラムの概略縦断側面図である。
【図３８】投入口から投入された配達物が回転ドラムの空間部内に挿入された状態を示す配達物受け箱の概略縦断側面図である。
【図３９】回転ドラムの空間部内に配達物が投入された状態で、回転ドラムを反時計廻り方向へ回転している状態を示す配達物受け箱の概略縦断側面図である。
【図４０】回転ドラムを反時計廻り方向へ回転させ、当該回転ドラムを構成する滑り板が傾斜して配達物が落下している状態を示す配達物受け箱の概略縦断側面図である。
【図４１】収容部に収納された複数の配達物が重なっている状態で、更に投入口から投入された配達物が回転ドラムの空間部内に挿入された状態を示す配達物受け箱の概略縦断側面図である。
【図４２】同図４１の配達物が回転ドラムの空間部内に挿入された状態で、当該回転ドラムを時計廻り方向に回転している状態を示す配達物受け箱の概略縦断側面図である。
【図４３】収容部の前面側に重なった配達物を避け、収容部の後面側に配達物が収納される様子を示す配達物受け箱の概略縦断側面図である。
【符号の説明】
【０１３０】
１０  配達物受け箱
１２  筐本体
１６  挿通孔
１８  投入口
２０  葉書投入口
２４  軸受部材
３２  蓋体
３４  蓋回転軸
４２  収容部
４４  取出扉
４６  鍵
５０  邪魔板
５４  回転ドラム
６０  挿入口
６２  ドラム板
６４  把手
６６  空間部
６８  逆回転防止板
６９  逆回転防止突起
７０  滑り板
７２  操作レバー
１００  配達物
【図１】
2010142406.tif 000003
【図２】
2010142406.tif 000004
【図３】
2010142406.tif 000005
【図４】
2010142406.tif 000006
【図５】
2010142406.tif 000007
【図６】
2010142406.tif 000008
【図７】
2010142406.tif 000009
【図８】
2010142406.tif 000010
【図９】
2010142406.tif 000011
【図１０】
2010142406.tif 000012
【図１１】
2010142406.tif 000013
【図１２】
2010142406.tif 000014
【図１３】
2010142406.tif 000015
【図１４】
2010142406.tif 000016
【図１５】
2010142406.tif 000017
【図１６】
2010142406.tif 000018
【図１７】
2010142406.tif 000019
【図１８】
2010142406.tif 000020
【図１９】
2010142406.tif 000021
【図２０】
2010142406.tif 000022
【図２１】
2010142406.tif 000023
【図２２】
2010142406.tif 000024
【図２３】
2010142406.tif 000025
【図２４】
2010142406.tif 000026
【図２５】
2010142406.tif 000027
【図２６】
2010142406.tif 000028
【図２７】
2010142406.tif 000029
【図２８】
2010142406.tif 000030
【図２９】
2010142406.tif 000031
【図３０】
2010142406.tif 000032
【図３１】
2010142406.tif 000033
【図３２】
2010142406.tif 000034
【図３３】
2010142406.tif 000035
【図３４】
2010142406.tif 000036
【図３５】
2010142406.tif 000037
【図３６】
2010142406.tif 000038
【図３７】
2010142406.tif 000039
【図３８】
2010142406.tif 000040
【図３９】
2010142406.tif 000041
【図４０】
2010142406.tif 000042
【図４１】
2010142406.tif 000043
【図４２】
2010142406.tif 000044
【図４３】
2010142406.tif 000045